(57)【要約】      （修正有）【課題】簡易にドキュメントのページ編集が可能な、タッチパネル方式携帯端末の提供。【解決手段】ドキュメントを構成するページの内、所定枚数のページを一括表示しうる表示手段と、指またはタッチペンによって編集対象のページを選択した場合に、選択ページのページ情報を保存する編集対象ページ情報保存手段と、編集対象ページを選択した状態のままで、表示手段の画面上に表示されたスクロールシンボルに指またはタッチペンを移動することによって他ページを表示する画面へ表示をスクロールするスクロール手段と、スクロール操作によってスクロール先の画面上の所定位置において編集対象ページの選択を解除した場合に、解除位置の座標から編集対象ページの挿入位置を算出する挿入ページ位置算出手段と、挿入ページ位置算出手段によって算出された場所に編集対象ページを挿入するページ挿入手段とを備えた携帯端末装置。【選択図】図１
2012053662.tif 000002
【特許請求の範囲】
【請求項１】
タッチパネル操作方式の携帯端末におけるドキュメントファイルの編集方法であって、
ドキュメントを構成するページの内、所定枚数のページを一括表示しうる表示手段と、
指、またはタッチペンによって、編集対象のページを選択した場合に、当該選択ページのページ情報を保存する編集対象ページ情報保存手段と、
上記編集対象ページを選択した状態のままで、上記表示手段の画面上に表示されたスクロールシンボルに、指またはタッチペンを移動することによって、他ページを表示する画面へ、表示をスクロールするスクロール手段と、
スクロール先の画面上の所定位置において、上記編集対象ページの選択を解除した場合に、解除位置の座標から、上記編集対象ページの挿入位置を算出する挿入ページ位置算出手段と、
上記挿入ページ位置算出手段によって算出された場所に、上記編集対象ページを挿入するページ挿入手段とを備えることを特徴とするタッチパネル操作方式の携帯端末におけるドキュメントファイルの編集方法。
【請求項２】
上記スクロールシンボルを、スクロール先の画面が存在している場合にのみ選択可能とすると共に、スクロール先が存在しない場合には選択不可とする、スクロールシンボル選択可否判定手段を備えることを特徴とする請求項１記載のタッチパネル操作方式の携帯端末におけるドキュメントファイルの編集方法。
【請求項３】
上記スクロールシンボルは、上記表示手段の画面上における左右両端部に配置されることを特徴とする請求項１記載のタッチパネル操作方式のタッチパネル操作方式の携帯端末におけるドキュメントファイルの編集方法。
【発明の詳細な説明】
【技術分野】
【０００１】
本発明は、タッチパネル操作方式の携帯端末において、画面上でドキュメントファイルの編集を行うドキュメントファイル編集方法に関する。
【背景技術】
【０００２】
タッチパネル操作方式携帯端末は、キーボード、マウス等の外部機器を使用せず、表示画面上を専用のタッチペン、若しくは指で直接選択して操作する。
昨今では、所謂スマートフォンに代表される小型端末から、無線ＬＡＮによる通信機能を有し、インターネット上のページ閲覧、ドキュメントのビューワー、各種ゲーム等の多彩なアプリケーションによってカスタマイズが可能な、ノートサイズのタブレットＰＣまで多種多用な端末が普及しつつある。
【０００３】
タッチパネル操作方式の場合、一般的なノート型ＰＣとは異なり、キーボード、マウス等の外部の操作機器を接続せずに、画面を直接指若しくは専用のタッチペンで選択することによって画面操作を行うため、クリック、ドラッグアンドドロップ等の操作が主となるインターネットページの閲覧、ゲーム画面等の操作には適しているが、テキスト文字入力、図形描画、ドキュメントの編集等の作業は、キーボード、マウス等と比較すると行い難い。
【０００４】
特に、小型の携帯端末の場合、一般的なＰＣと比較して画面が小さいことから、マルチウィンドウ方式によって、複数のウィンドウを表示させた場合には、個々のウィンドウの表示内容が視認し難いことから、マルチウィンドウ方式が採用できない。
従って、画面上での操作は、当該画面内で閉じた範囲に限定され、他画面間で操作内容を引き継ぐことができなかった。
【０００５】
また、小型の携帯端末においては、複数のページからなるドキュメントの構成ページを、一画面で一括表示した場合には、一ページ毎の表示サイズを小さくし過ぎると、当該ページの表示内容が把握できなくなることから、画面に表示可能なページ枚数は所定数以内に限定される。
また上記の通り、画面上の操作は当該画面内で閉じた範囲に限定されてしまうことから、ドキュメントページの入替操作を行う場合等は、表示画面内の範囲内でのみ可能であった。
具体的には、例えば全１０ページのプレゼンテーション資料等のドキュメントが存在し、携帯端末の一画面に表示可能なページ枚数が４枚である場合、全てのページを閲覧するためには、画面３枚分の表示エリアが必要となり、第一画面には１〜４ページ目、第二画面には５〜８ページ目、第三画面には９、１０ページ目を表示する。
これらのページを閲覧する場合は、３枚の画面をスクロール等手段でページ送りする必要がある。
上記に示すように、ドキュメント編集等の作業において、複数の画面間で引き継ぐことができなかったため、例えば、１ページ目と４ページ目の入れ替えであれば、第一画面内で可能であるが、１ページ目を８ページ目と７ページ目の間に挿入する編集を行う場合は、１ページ目を選択した状態のままで画面切り替を行い、７、８ページ目を表示している第二画面に切り替える必要がある。
しかしながら、１ページ目の選択状態を他画面間で引き継ぐことができなかったため、小型の携帯端末においては、このような複数の画面間をまたぐ編集操作が不可能であった。
【０００６】
小型携帯端末の高機能化に伴い、簡単なドキュメント編集作業等を携帯端末で行う旨の要望が非常に高まっているが、現在までにこれを実現するための方法、は実現されていなかった。
【発明の開示】
【発明が解決しようとする課題】
【０００７】
本発明の解決する課題は、表示画面が小さい場合であっても、簡易にドキュメントのページ編集が可能な、タッチパネル操作方式の携帯端末におけるドキュメントファイルの編集方法を提供することにある。
【課題を解決するための手段】
【０００８】
上記課題を解決するために、請求項１に記載した発明に係るタッチパネル操作方式の携帯端末におけるドキュメントファイルの編集方法は、タッチパネル操作方式の携帯端末におけるドキュメントファイルの編集方法であって、ドキュメントを構成するページの内、所定枚数のページを一括表示しうる表示手段と、指、またはタッチペンによって、編集対象のページを選択した場合に、当該選択ページのページ情報を保存する編集対象ページ情報保存手段と、上記編集対象ページを選択した状態のままで、上記表示手段の画面上に表示されたスクロールシンボルに、指またはタッチペンを移動することによって、他ページを表示する画面へ、表示をスクロールするスクロール手段と、スクロール先の画面上の所定位置において、上記編集対象ページの選択を解除した場合に、解除位置の座標から、上記編集対象ページの挿入位置を算出する挿入ページ位置算出手段と、上記挿入ページ位置算出手段によって算出された場所に、上記編集対象ページを挿入するページ挿入手段とを備えることを特徴とする。
【０００９】
従って、編集対象ページを選択した場合、選択状態を、他画面にスクロール後も引き継ぐことによって、編集対象ページを他画面で表示されている別ページの所定位置に挿入することができる。
【００１０】
また、請求項２に記載した発明に係るタッチパネル操作方式の携帯端末におけるドキュメントファイルの編集方法は、上記スクロールシンボルをスクロール先の画面が存在している場合にのみ選択可能とすると共に、スクロール先が存在しない場合には選択不可とする、スクロールシンボル選択可否判定手段を備えることを特徴とする。
【００１１】
従って、スクロール先の画面がある場合にのみ、画面表示を他画面にスクロールすることができる。
【００１２】
また、請求項３に記載した発明に係るタッチパネル操作方式の携帯端末は、スクロールシンボルは、上記表示手段の画面上における左右両端部に配置されることを特徴とする。
【発明の効果】
【００１３】
請求項１の発明にあっては、ドキュメントを構成するページの内、所定枚数のページを一括表示しうる表示手段と、指、またはタッチペンによって、編集対象のページを選択した場合に、当該選択ページのページ情報を保存する編集対象ページ情報保存手段と、上記編集対象ページを選択した状態のままで、上記表示手段の画面上に表示されたスクロールシンボルに、指またはタッチペンを移動することによって、他ページを表示する画面へ、表示をスクロールするスクロール手段と、スクロール先の画面上の所定位置において、上記編集対象ページの選択を解除した場合に、解除位置の座標から、上記編集対象ページの挿入位置を算出する挿入ページ位置算出手段と、上記挿入ページ位置算出手段によって算出された場所に、上記編集対象ページを挿入するページ挿入手段とを備えることから、表示画面が小さい場合であっても、簡易にドキュメントのページ編集が可能な、タッチパネル操作方式の携帯端末におけるドキュメントファイルの編集方法を提供することができる。
【００１４】
また、請求項２の発明にあっては、スクロールシンボルは、スクロール先の画面が存在している場合にのみ選択可能とすると共に、スクロール先のページがない場合は選択不可とする、スクロールシンボル選択可否判定手段を備えることから、編集対象ページを移動する先の画面へ、スムーズにスクロールすることができる為、ドキュメントのページ編集作業がより簡易になる。
【００１５】
また、請求項３の発明にあっては、上スクロールシンボルは、上記表示手段の画面上における左右両端部に配置される。
編集対象ページを指で選択した状態のままで、画面の縦方向に指を動かす場合は、腕全体を上下に移動する必要がある。
本願においては、スクロールシンボルが左右両端に配置されているため、ドラッグ操作時には、指先のみを移動するのみで対応できることから、ドキュメントのページ編集操作の使い勝手が向上する。
【図面の簡単な説明】
【００１６】
【図１】本発明の一実施の形態を示し、実施例の形態におけるタッチパネル操作方式の携帯端末において、ドキュメントのページ編集作業の手順を示す画面遷移図であり、（ａ）は編集対象ページの選択操作、（ｂ）は編集対象ページを選択した状態のままで、画面をスクロールさせる場合の操作、（ｃ）はスクロール後、スクロール先画面において選択解除位置を設定する操作、（ｄ）ページ編集終了後の画面イメージを夫々示している。
【図２】本実施例に係るタッチパネル操作方式の携帯端末において、ドキュメントのページ編集作業を行う場合の処理を示すフローチャートである。
【発明を実施するための最良の形態】
【００１７】
本発明を実施するための形態について、編集操作を指で行う場合を例に添付図面を用いて以下説明する。
図１（ａ）に示すように、本実施例に係るタッチパネル操作方式の携帯端末におけるドキュメントファイルの編集方法１０において、ドキュメント１１の内、４枚のページ１１ａ、１１ｂ、１１ｃ、１１ｄを一括表示しうる表示手段１２と、指１３によって、編集対象のページ１１ｄを選択した場合に、当該選択ページ１１ｄのページ情報を保存する編集対象ページ情報保存手段１４（図１には図示せず）と、図１（ｂ）、（ｃ）に示すように、上記編集対象ページ１１ｄを選択した状態のままで、上記表示手段１２の画面１２ａ上の右両端部に配置されたスクロールシンボル１５ｂに、指１３を移動することによって、他のページ１１ｅ、１１ｆを表示する画面１２ｂへスクロールするスクロール手段１５と、図１（ｄ）に示すように、スクロール先の画面１２ｂ上の所定位置において、上記編集対象ページ１１ｄの選択を解除した場合に、解除位置の座標から、上記編集対象ページ１１ｄの挿入位置を算出する挿入ページ位置算出手段１６（図１には図示せず）と、上記挿入ページ位置算出手段１６によって算出された場所に上記編集対象ページ１１ｄを挿入するページ挿入手段１７（図１には図示せず）を備えている。
【００１８】
また、図１（ａ）、（ｂ）に示すように、上記スクロールシンボル１５ａ、１５ｂをスクロール先の画面１２ｂが存在している場合にのみ選択可能とすると共に、スクロール先がない場合には選択不可とする、スクロールシンボル選択可否判定手段１８を更に備えている。
【実施例１】
【００１９】
本実施例の構成について添付図面を用いて以下説明する。
図１は、タッチパネル操作方式の、スマートフォン等の小型の携帯端末において、ドキュメント１１のページ編集作業の手順の画面遷移を示している。
本実施例においては、全６ページ構成のドキュメント１１のページ編集を行う場合を例に説明する。
図１（ａ）はドキュメント１１の１〜４ページ目を携帯端末２０の表示手段１２に表示させた初期画面１２ａを示している。
図１（ａ）に示すように、上記初期画面１２ａには、ドキュメント１１の１ページ目１１ａ、及び２ページ目１１ｂが上段に、３ページ目１１ｃ、及び４ページ目１１ｄが下段に表示されている。
また、スクロール手段１５のスクロールシンボル１５ａ、１５ｂは、上記初期画面１２ａの上下方向略中央部の左右両端部に配置されている。
図１（ａ）の初期画面１２ａは、上記ドキュメント１１の先頭ページを表示していることから、前ページは存在しないため、前画面へのスクロールシンボル１５ａは選択が不可となるように透過表示されている。
ドキュメント１１の５ページ目１１ｅ、及び６ページ目１１ｆが表示される画面１２ｂへのスクロールシンボル１５ｂは、選択可能な状態に表示されている。
【００２０】
以下、添付図面を用いて、上記ドキュメント１１の４ページ目１１ｄを、6ページ目１１ｆの後ろに移動して、挿入する操作を例に説明する。
図１（ａ）に示すように、初期画面１２ａに表示されているドキュメント１１の4ページ目１１ｄを、指１３で選択する。
この際、図２に示すように、編集対象ページ情報保存手段１４によって、上記ページ１１ｄのページ番号、構成内容等のページ情報が一次的に保存される。
更に、図１（ｂ）に示すように、上記ページ１１ｄを指１３で選択した状態のままで、スクロールシンボル１５ｂ上に指１３を移動させる。
【００２１】
なお、初期画面１２ａを表示手段１２で表示する際に、図２に示すように、スクロールシンボル選択可否判定手段１８によってスクロールシンボル１５ａ、１５ｂの選択可否が判定され、上記ドキュメント１１の５ページ目１１ｅと６ページ目１１ｆを表示する画面１２ｂが存在するため、スクロールシンボル１５ｂは選択可能表示となる。
一方、初期画面１２ａはドキュメント１１の先頭ページである１ページ目１１ａから４ページ目１１ｄまでを表示しているため、前ページを表示する画面は存在しない。
従って、図１（ａ）に示すように、スクロールシンボル１５ａは選択不可表示になる。
【００２２】
上記スクロールシンボル１５ｂ上に指を移動させることによって、図２に示すように、スクロール手段１５は、上記ドキュメント１１の５ページ目及び６ページが表示される画面１２ｂにスクロールする。
なお、画面１２ｂを表示する際にも、上記スクロールシンボル選択可否判定手段１８によってスクロールシンボル１５ａ、１５ｂの選択可否が判定される。
画面１２ｂの場合、次画面は存在せず、１ページ目等を表示する前画面が存在することから、スクロールシンボル１５ａは選択可能、スクロールシンボル１５ｂは選択不可表示となる。
【００２３】
図１（ｃ）に示すように、画面１２ｂにおいて、指１３をドキュメント１１の６ページ目１１ｆ後ろに移動して、選択を解除する。
この際、図２に示すように、挿入ページ位置算出手段１６によって、選択解除位置が、６ページ目１１ｆの後ろであることが認識され、更に、ページ挿入手段１７によって、上記編集対象ページ情報保存手段１４によって、保存されていた４ページ目１１ｄのページ番号、構成内容等を基に、ドキュメント１１の６ページ目１１ｆの後ろに４ページ目１１ｄが挿入され、４ページ目１１ｄは新たな６ページ目となると共に、６ページ目１１ｆは５ページ目に繰り上がり、５ページ目の１１ｅは新たな４ページ目に繰り上がり、前画面１２ａに表示が移動する。
【００２４】
以上のように、本実施例によれば、タッチパネル操作方式の携帯端末がスマートフォン等の小型端末であっても、指のみの操作でドキュメントの編集作業を行うことができるため、ノートＰＣを持ち歩かなくても、外出先等で迅速にドキュメント修正が可能となる。
【００２５】
なお、本実施例の画面デザインはあくまで一例であり、画面全体のデザイン、スクロールシンボルの形状、色彩等は、適宜変更しても本実施例と同様の作用効果を得ることができる。
また、一画面に表示可能なドキュメントのページ枚数については、使用する携帯端末の画面の大きさによって、視認可能な範囲であれば適宜変更することができる。
更に、携帯端末の種類についても、タッチパネル操作方式である旨の限定以外には特に限定されない。
【産業上の利用可能性】
【００２６】
本発明は、本発明は、タッチパネル操作方式の携帯端末において、画面上でドキュメントファイルの編集を行うドキュメントファイル編集方法に適用可能である。
【符号の説明】
【００２７】
１０  ドキュメントファイルの編集方法
１１  ドキュメント
１１ａドキュメントの１ページ目
１１ｂドキュメントの２ページ目
１１ｃドキュメントの３ページ目
１１ｄドキュメントの４ページ目
１１ｅドキュメントの５ページ目
１１ｆドキュメントの６ページ目
１２  表示手段
１２ａ画面
１２ｂ画面
１３  指
１４  編集対象ページ情報保存手段
１５  スクロール手段
１５ａスクロールシンボル
１５ｂスクロールシンボル
１６  挿入ページ位置算出手段
１７  ページ挿入手段
１８  スクロールシンボル選択可否判定手段
【図１】
2012053662.tif 000003
【図２】
2012053662.tif 000004